(57)【要約】【課題】消費電力を低減させると共に、ディスクを破損することなくディスク再生装置に挿入可能なディスク再生機能付テレビジョン受像機を提供する。【解決手段】メイン電源２に接続されるメインマイコン（Ｍ）１と、ディスク挿入口１０４に挿入されたディスク（Ｄ）を装置本体１０２内部に引き込むスロットインタイプのディスク挿入部１０５と、サブ電源４に接続され、ディスク挿入部１０５の駆動制御を行うサブマイコン（Ｓ）３と、を備えるディスク再生機能付テレビ１００において、ディスク挿入口１０４にＤが挿入されたことを検知して、挿入検知信号をＭ１に出力するディスク挿入センサ１１を備え、Ｍ１は、ディスク挿入センサ１１により挿入検知信号が入力された場合に、Ｓ３がオフ状態か否かを判断し、オフ状態であると判断すると、ディスク挿入部１０５の駆動制御を行う。【選択図】図２
2006216121.tif 000002
【特許請求の範囲】
【請求項１】
メイン電源に接続されるメイン制御部と、ディスク挿入口に挿入されたディスクを装置本体内部に引き込むスロットインタイプのディスク挿入部と、
サブ電源に接続され、前記ディスク挿入部の駆動制御を行うサブ制御部と、
前記サブ制御部により駆動制御され、前記ディスク挿入部により挿入されたディスクの再生を行うディスク再生部と、
テレビジョン放送信号を受信する受信部と、
前記メイン制御部により駆動制御され、前記ディスク再生部により再生された画像及び前記受信部により受信されたテレビジョン放送信号に基づくテレビジョン画像を表示する表示部と、
を備えるディスク再生機能付テレビジョン受像機において、
前記ディスク挿入口にディスクが挿入されたことを検知して、挿入検知信号を前記メイン制御部に出力する挿入検知部と、
前記ディスク挿入口に挿入されたディスクの移動途中に、当該ディスクが、ディスク全体が装置本体内部に収容された位置である途中位置に達した場合に、途中位置検知信号を前記メイン制御部に出力する途中位置検知部と、を備え、
前記メイン制御部は、前記挿入検知部により挿入検知信号が入力された場合に、前記サブ制御部がオフ状態か否かを判断し、前記サブ制御部がオフ状態であると判断すると、前記サブ電源をオンするとともに、前記ディスク挿入部の駆動制御を行い、次いで、前記途中位置検知部により途中位置検知信号が入力された場合に、前記ディスク挿入部の駆動制御を前記サブ制御部による駆動制御に切替えることを特徴とするディスク再生機能付テレビジョン受像機。
【請求項２】
メイン電源に接続されるメイン制御部と、ディスク挿入口に挿入されたディスクを装置本体内部に引き込むスロットインタイプのディスク挿入部と、
サブ電源に接続され、前記ディスク挿入部の駆動制御を行うサブ制御部と、
前記サブ制御部により駆動制御され、前記ディスク挿入部により挿入されたディスクの再生を行うディスク再生部と、
テレビジョン放送信号を受信する受信部と、
前記メイン制御部により駆動制御され、前記ディスク再生部により再生された画像及び前記受信部により受信されたテレビジョン放送信号に基づくテレビジョン画像を表示する表示部と、
を備えるディスク再生機能付テレビジョン受像機において、
前記ディスク挿入口にディスクが挿入されたことを検知して、挿入検知信号を前記メイン制御部に出力する挿入検知部を備え、
前記メイン制御部は、前記挿入検知部により挿入検知信号が入力された場合に、前記サブ制御部がオフ状態か否かを判断し、前記サブ制御部がオフ状態であると判断すると、前記ディスク挿入部の駆動制御を行うことを特徴とするディスク再生機能付テレビジョン受像機。
【請求項３】
請求項２に記載のディスク再生機能付テレビジョン受像機において、
前記ディスク挿入口に挿入されたディスクの移動途中に、当該ディスクが予め設定された途中位置に達した場合に、途中位置検知信号を前記メイン制御部に出力する途中位置検知部を備え、
前記メイン制御部は、前記挿入検知部により挿入検知信号が入力された場合に、前記サブ制御部がオフ状態か否かを判断し、前記サブ制御部がオフ状態であると判断すると、前記サブ電源をオンするとともに、前記途中位置検知部により途中位置検知信号が入力された場合に、前記ディスク挿入部の駆動制御を前記サブ制御部による駆動制御に切替えることを特徴とするディスク再生機能付テレビジョン受像機。
【請求項４】
請求項２に記載のディスク再生機能付テレビジョン受像機において、
前記挿入検知部により挿入検知信号が入力されてから、予め定められた所定の時間が経過した場合に、経過信号を前記メイン制御部に出力する計時部を備え、
前記メイン制御部は、前記挿入検知部により挿入検知信号が入力された場合に、前記サブ制御部がオフ状態か否かを判断し、前記サブ制御部がオフ状態であると判断すると、前記サブ電源をオンするとともに、前記計時部により経過信号が入力された場合に、前記ディスク挿入部の駆動制御を前記サブ制御部による駆動制御に切替えることを特徴とするディスク再生機能付テレビジョン受像機。
【請求項５】
請求項２に記載のディスク再生機能付テレビジョン受像機において、
前記ディスク挿入口に挿入されたディスクが停止位置に達した場合に、停止位置検知信号を前記メイン制御部に出力する停止位置検知部を備え、
前記メイン制御部は、前記挿入検知部により挿入検知信号が入力された場合に、前記サブ制御部がオフ状態か否かを判断し、前記サブ制御部がオフ状態であると判断すると、前記サブ電源をオンするとともに、記停止位置検知部により停止位置検知信号が入力された場合に、前記ディスク挿入部の駆動制御を前記サブ制御部による駆動制御に切替えることを特徴とするディスク再生機能付テレビジョン受像機。
【発明の詳細な説明】
【技術分野】
【０００１】
本発明は、ディスク再生機能付テレビジョン受像機に関する。
【背景技術】
【０００２】
従来、ＬＣＤ（Liquid  Crystal  Display）を用いたテレビジョン受像機（以下、「液晶テレビ」という）に、ＶＣＤ（Video Compact  Disc）やＤＶＤ（Digital Versatile  Disk）、ＤＶ（Digital Video）などのディスク再生装置を内蔵した、ディスク再生装置
内蔵型の液晶テレビジョン受像機（以下、「ディスク再生装置内蔵型テレビ」という。）が広く知られている。
【０００３】
ディスク再生装置内蔵型テレビにおいては、液晶テレビの使用時であって、ディスク再生装置を使用しない場合には、ディスク再生装置の発するノイズが液晶テレビに悪影響の防止及び消費電力の低減を目的として、ディスク再生装置の電源をオフにしている。
【０００４】
具体的には、例えば、通常はデッキモジュールへの電源の供給を停止しており、ディスク挿入部の前面パネルを開ける指示を出すスイッチが操作されることによって、ホストマイコンがデッキモジュールへの電源供給の制御を行うことにより、ディスク再生装置を使用していない際の消費電力を低減させるディスク再生装置（例えば、特許文献１参照）等が知られている。
【０００５】
また、上記に説明したディスク再生装置内蔵テレビに内蔵されるディスク再生装置においては、液晶テレビの電源のみがオンになっていて、ディスク再生装置の電源がオフになっている状態でディスク再生装置にディスクを挿入しようとすると、液晶テレビからディスク再生装置にファンクションが移行されてからディスク再生装置の電源がオンになり、その後立ち上げ動作が行われるために、ディスクが速やかに挿入されず、何度もディスクの抜き差しをすることにより、ディスクに傷が入ってしまう可能性があった。
【０００６】
そこで、ディスクが破損することを防ぐために、例えば、単体で用いられるインダッシュ式ＣＤチェンジャのようなディスク装置において、ディスクの抜取操作を行うと、ディスク挿入口にディスクが排出されてディスクの抜き取りが可能な抜取可能状態となり、当該状態になってから所定の時間が経過すると、抜取可能状態を解除して、ディスク及びストッカをディスク装置に収納することにより、ディスクの破損を防ぐディスク装置（例えば、特許文献２参照）が知られている。
【特許文献１】特開２００３−２６３８７３号公報
【特許文献２】特開平１１−２８８５４２号公報
【発明の開示】
【発明が解決しようとする課題】
【０００７】
しかしながら、特許文献２の公知技術によっては、ディスクの挿入操作を行った場合に、所定の時間が経過するまでディスクが挿入可能な状態で停止してしまうため、ディスクが速やかに挿入されるものではなかった。従って、ディスクが挿入可能位置で停止している間にディスクの抜き差しが行われ、ディスクに傷が入ってしまう可能性が依然として存在するものであった。また、特許文献１の公知技術によっても、ディスクの破損を防ぐことは出来なかった。
【０００８】
そこで、本発明の課題は、消費電力を低減させると共に、ディスクを破損することなくディスク再生装置に挿入可能なディスク再生機能付テレビジョン受像機を提供することである。
【課題を解決するための手段】
【０００９】
以上の課題を解決すべく、請求項１に記載の発明は、メイン電源に接続されるメイン制御部と、ディスク挿入口に挿入されたディスクを装置本体内部に引き込むスロットインタイプのディスク挿入部と、サブ電源に接続され、前記ディスク挿入部の駆動制御を行うサブ制御部と、前記サブ制御部により駆動制御され、前記ディスク挿入部により挿入されたディスクの再生を行うディスク再生部と、テレビジョン放送信号を受信する受信部と、前記メイン制御部により駆動制御され、前記ディスク再生部により再生された画像及び前記受信部により受信されたテレビジョン放送信号に基づくテレビジョン画像を表示する表示部と、を備えるディスク再生機能付テレビジョン受像機において、前記ディスク挿入口にディスクが挿入されたことを検知して、挿入検知信号を前記メイン制御部に出力する挿入検知部と、前記ディスク挿入口に挿入されたディスクの移動途中に、当該ディスクが、ディスク全体が装置本体内部に収容された位置である途中位置に達した場合に、途中位置検知信号を前記メイン制御部に出力する途中位置検知部と、を備え、前記メイン制御部は、前記挿入検知部により挿入検知信号が入力された場合に、前記サブ制御部がオフ状態か否かを判断し、前記サブ制御部がオフ状態であると判断すると、前記サブ電源をオンするとともに、前記ディスク挿入部の駆動制御を行い、次いで、前記途中位置検知部により途中位置検知信号が入力された場合に、前記ディスク挿入部の駆動制御を前記サブ制御部による駆動制御に切替えることを特徴とする。
【００１０】
請求項２に記載の発明は、  メイン電源に接続されるメイン制御部と、ディスク挿入口に挿入されたディスクを装置本体内部に引き込むスロットインタイプのディスク挿入部と、サブ電源に接続され、前記ディスク挿入部の駆動制御を行うサブ制御部と、前記サブ制御部により駆動制御され、前記ディスク挿入部により挿入されたディスクの再生を行うディスク再生部と、テレビジョン放送信号を受信する受信部と、前記メイン制御部により駆動制御され、前記ディスク再生部により再生された画像及び前記受信部により受信されたテレビジョン放送信号に基づくテレビジョン画像を表示する表示部と、を備えるディスク再生機能付テレビジョン受像機において、前記ディスク挿入口にディスクが挿入されたことを検知して、挿入検知信号を前記メイン制御部に出力する挿入検知部を備え、前記メイン制御部は、前記挿入検知部により挿入検知信号が入力された場合に、前記サブ制御部がオフ状態か否かを判断し、前記サブ制御部がオフ状態であると判断すると、前記ディスク挿入部の駆動制御を行うことを特徴とする。
【００１１】
請求項３に記載の発明は、請求項２に記載のディスク再生機能付テレビジョン受像機において、前記ディスク挿入口に挿入されたディスクの移動途中に、当該ディスクが予め設定された途中位置に達した場合に、途中位置検知信号を前記メイン制御部に出力する途中位置検知部を備え、前記メイン制御部は、前記挿入検知部により挿入検知信号が入力された場合に、前記サブ制御部がオフ状態か否かを判断し、前記サブ制御部がオフ状態であると判断すると、前記サブ電源をオンするとともに、前記途中位置検知部により途中位置検知信号が入力された場合に、前記ディスク挿入部の駆動制御を前記サブ制御部による駆動制御に切替えることを特徴とする。
【００１２】
請求項４に記載の発明は、請求項２に記載のディスク再生機能付テレビジョン受像機において、前記挿入検知部により挿入検知信号が入力されてから、予め定められた所定の時間が経過した場合に、経過信号を前記メイン制御部に出力する計時部を備え、前記メイン制御部は、前記挿入検知部により挿入検知信号が入力された場合に、前記サブ制御部がオフ状態か否かを判断し、前記サブ制御部がオフ状態であると判断すると、前記サブ電源をオンするとともに、前記計時部により経過信号が入力された場合に、前記ディスク挿入部の駆動制御を前記サブ制御部による駆動制御に切替えることを特徴とする。
【００１３】
請求項５に記載の発明は、請求項２に記載のディスク再生機能付テレビジョン受像機に
おいて、前記ディスク挿入口に挿入されたディスクが停止位置に達した場合に、停止位置検知信号を前記メイン制御部に出力する停止位置検知部を備え、前記メイン制御部は、前記挿入検知部により挿入検知信号が入力された場合に、前記サブ制御部がオフ状態か否かを判断し、前記サブ制御部がオフ状態であると判断すると、前記サブ電源をオンするとともに、記停止位置検知部により停止位置検知信号が入力された場合に、前記ディスク挿入部の駆動制御を前記サブ制御部による駆動制御に切替えることを特徴とする。
【発明の効果】
【００１４】
請求項１に記載の発明によると、ディスクの挿入時に、ディスク挿入部の駆動制御を行うサブ制御部がオフ状態であると、メイン制御部によってディスク挿入部の駆動制御が行われることとなる。
【００１５】
これにより、ディスク挿入時にサブ制御部がオフ状態であっても、サブ制御部の起動を待つことなく、メイン制御部によって、ディスクの挿入が速やかに開始されることとなり、ディスクを破損することなくディスク挿入部に挿入することができる。
【００１６】
また、ディスク挿入部の駆動制御を行うサブ制御部がオフ状態であっても、ディスク挿入部へのディスクの挿入が開始されるため、必要がない場合には、サブ制御部をオフ状態にすることができ、消費電力を低減することができる。
【００１７】
さらに、ディスク挿入時にサブ制御部がオフ状態である場合であって、メイン制御部によってディスク挿入部の駆動制御が開始された場合に、ディスクが装置本体内部に収容された後に、ディスク挿入部の駆動制御がメイン制御部による駆動制御からサブ制御部による駆動制御に切替えられることとなる。
【００１８】
これにより、サブ制御部で従来から使用されている、ディスク挿入部の駆動制御に係る動作（例えば、ディスクの引き込み動作と、チャッキング動作と、ローディング動作と、等からなる一連の動作）がプログラミングされている既存のソフトウェアを変更することなく用いることができ、コストアップを抑えることができるのみならず、引き込み動作の中途でディスク挿入部の駆動制御が切替えられることによって、引き込み動作以降の動作（例えば、チャッキング動作及びローディング動作等）がスムーズに行われることとなる。
【００１９】
そして、メイン制御部の駆動制御からサブ制御部の駆動制御への切替えが、ディスクが装置本体内部に収容されている状態で行われるため、当該切替えがスムーズに行われなかった場合であっても、ディスクが引き抜かれたり、ディスクが装置本体から落下する可能性がなく、より確実にディスクの破損を防止することができる。
【００２０】
請求項２に記載の発明によると、ディスクの挿入時に、ディスク挿入部の駆動制御を行うサブ制御部がオフ状態であると、メイン制御部によってディスク挿入部の駆動制御が行われることとなる。
【００２１】
これにより、ディスク挿入時にサブ制御部がオフ状態であっても、サブ制御部の起動を待つことなく、メイン制御部によって、ディスクの挿入が速やかに開始されることとなり、ディスクを破損することなくディスク挿入部に挿入することができる。
【００２２】
また、ディスク挿入部の駆動制御を行うサブ制御部がオフ状態であっても、ディスク挿入部へのディスクの挿入が開始されるため、必要がない場合には、サブ制御部をオフ状態にすることができ、消費電力を低減することができる。
【００２３】
請求項３に記載の発明によると、請求項２に記載の発明の効果が得られるのは無論のこと、特に、ディスク挿入時にサブ制御部がオフ状態である場合であって、メイン制御部によってディスク挿入部の駆動制御が開始された場合に、ディスクが、予め設定された途中位置に達することにより、ディスク挿入部の駆動制御が、メイン制御部による駆動制御から、サブ制御部による駆動制御に切替えられることとなる。
【００２４】
これにより、サブ制御部で従来から使用されている、ディスク挿入部の駆動制御に係る動作（例えば、ディスクの引き込み動作と、チャッキング動作と、ローディング動作と、
等からなる一連の動作）がプログラミングされている既存のソフトウェアを変更することなく用いることができ、コストアップを抑えることができるのみならず、引き込み動作の中途でディスク挿入部の駆動制御が切替えられることによって、引き込み動作以降の動作（例えば、チャッキング動作及びローディング動作等）がスムーズに行われることとなる。
【００２５】
請求項４に記載の発明によると、請求項２に記載の発明の効果が得られるのは無論のこと、特に、ディスク挿入時にサブ制御部がオフ状態である場合であって、メイン制御部によってディスク挿入部の駆動制御が開始された場合に、ディスクの挿入が開始されてから所定の時間が経過した後に、ディスク挿入部の駆動制御がメイン制御部による駆動制御からサブ制御部による駆動制御に切替えられることとなる。
【００２６】
これにより、新たな検知部を設けることなく、サブ制御部で従来から使用されている、ディスク挿入部の駆動制御に係る動作（例えば、ディスクの引き込み動作と、チャッキング動作と、ローディング動作と、等からなる一連の動作）がプログラミングされている既存のソフトウェアを変更することなく用いることができ、コストアップを抑えることができる。
【００２７】
また、引き込み動作の中途でディスク挿入部の駆動制御が切替えられることによって、引き込み動作以降の動作（例えば、チャッキング動作及びローディング動作等）がスムーズに行われることとなる。
【００２８】
請求項５に記載の発明によると、請求項２に記載の発明の効果が得られるのは無論のこと、特に、ディスク挿入時にサブ制御部がオフ状態である場合であって、メイン制御部によってディスク挿入部の駆動制御が開始された場合に、ディスクが停止位置に達した後に、ディスク挿入部の駆動制御が、メイン制御部による駆動制御から、サブ制御部による駆動制御に切替えられることとなる。
【００２９】
これにより、ディスク挿入部へのディスクの挿入という一連の駆動制御を、メイン制御部が一貫して実行することとなり、ディスク挿入部へのディスクの挿入を、安定的に実行することができることとなる。
【発明を実施するための最良の形態】
【００３０】
［実施形態１］
以下に、本発明の実施形態１を、図面を参照しながら詳細に説明する。ただし、発明の範囲は図示例に限られない。
【００３１】
図１は本発明を適用した好適な実施の形態として例示するディスク再生機能付テレビジョン受像機（以下、「ディスク再生機能付テレビ」という。）１００の斜視図である。
【００３２】
ディスク再生機能付テレビ１００は、ＬＣＤ（Liquid  Crystal  Display）を備える液晶テレビ１０１の筐体内に、ディスク再生装置の装置本体１０２が設けられて構成される。
【００３３】
ディスク再生機能付テレビ１００の前面を構成するフロントパネル１０３には、映像出力部７（後述する）や、操作部９（後述する）の他に、ＶＣＤ（Video Compact  Disc）
やＤＶＤ（Digital Versatile  Disk）、ＣＤ（Compact  Disc）などのディスクを挿入するためのディスク挿入口１０４等が設けられ、さらにディスク挿入口１０４の内部には、ディスク挿入口１０４に挿入されたディスクＤを、装置本体１０２内部に引き込むスロットインタイプのディスク挿入部１０５が設けられる。
【００３４】
図２は、ディスク再生機能付テレビ１００の内部構成を示すブロック図である。図２に示すように、ディスク再生機能付テレビ１００は、ディスク再生機能付テレビ１００の動作全般を統括制御するメイン制御部としてのメインマイコン１と、メインマイコン１に接続され、メインマイコン１に電源を供給してなるメイン電源２と、ディスク挿入部１０５の駆動制御を行うサブ制御部としてのサブマイコン３と、サブマイコン３に接続され、サ
ブマイコン３に電源を供給してなるサブ電源４と、サブマイコン３によって駆動制御され、ディスク挿入部１０５により挿入されたディスクの再生を行うディスク再生部５と、テレビジョン放送信号を受信する受信部６と、メインマイコン１によって駆動制御され、ディスク再生部５によって再生された画像及び受信部６により受信されたテレビジョン放送信号に基づくテレビジョン画像を表示する表示部としての映像出力部７と、ディスク再生部５によって再生された音声及び受信部６により受信されたテレビジョン放送信号に基づくテレビジョン音声を出力する音声出力部８と、各種指示を入力するための操作部９と、ディスク挿入部１０５や、ディスク再生部５等の駆動源であるモータＭを駆動してなる駆動回路部１０と、等を備えて構成される。
【００３５】
ディスク挿入部１０５には、例えば、図３に示すように、ディスク挿入センサ１１と、第１ディスク位置センサ１２と、等が設けられる。
【００３６】
ディスク挿入センサ１１は、ディスク挿入口１０４にディスクＤが挿入されたことを検知して、挿入検知信号をメインマイコン１に出力する挿入検知部として機能し、第１ディスク位置センサ１２は、ディスク挿入口１０４に挿入されたディスクＤの移動途中に、当該ディスクＤが、ディスクＤ全体が装置本体１０２内部に収容された位置である途中位置Ｐ１に達した場合に、途中位置検知信号をメインマイコン１に出力する途中位置検知部として機能する。
【００３７】
即ち、ディスク挿入口１０４にディスクＤが挿入されると、まず、ディスク挿入センサ１１がディスクＤを検知し、挿入検知信号をメインマイコン１に出力する。
【００３８】
そして、ディスクＤがディスク挿入部１０５の内部に引き込まれて、装置本体１０２内部に完全に収容された位置に達すると、第１ディスク位置センサ１２がディスクＤを検知して、途中位置検知信号をメインマイコン１に出力する。
【００３９】
ディスク挿入センサ１１と、第１ディスク位置センサ１２は、何れも、ディスクＤを検知し、ディスクＤに関する情報をメインマイコン１へ伝送可能な信号や符号に変換する機能を備え、具体的には、例えば、赤外線を照射する赤外線発光ランプを備える投光器（図示省略）と、投光器により照射された赤外線を受光して受光結果により各マイコンへの出力を変化させる受光器（図示省略）を備える非接触型の赤外線センサである。  
【００４０】
投光器と受光器は、ディスク挿入部１０５のシャーシ（図示省略）の上面と下面の内面側に対向する位置に配置される。従って、投光器と受光器の間をディスクＤが通過することとなる。
【００４１】
投光器（図示省略）と受光器（図示省略）との間にディスクＤが位置している状態で、投光器より、受光器に向かって赤外線が照射されると、赤外線はディスクＤによって遮られ、受光器によって赤外線が受光されないこととなる。この状態をＨｉｇｈ状態（以下、「Ｈ状態」という。）という。
【００４２】
一方、投光器と受光器との間にディスクＤが位置していない状態で、投光器より受光器に向かって赤外線が照射されると、照射された赤外線は、受光器によって受光される。この状態をＬｏｗ状態（以下、「Ｌ状態」という。）という。
【００４３】
つまり、ディスクＤが、ディスク挿入口１０４を通過してディスク挿入部１０５の内部を移動することにより、投光器と受光器からなるディスク挿入センサ１１と、第１ディスク位置センサ１２の各センサの光路をディスクＤが通過することとなって、各センサによって、Ｈ状態若しくはＬ状態が検知されることとなる。各センサによるＬ状態若しくはＨ状態の検知は、挿入されるディスクＤを速やかに検知可能な、予め定められた所定の間隔で実行される。
【００４４】
ディスク挿入センサ１１は、Ｈ状態を検知すると、挿入検知信号をメインマイコン１に出力する。
【００４５】
また、第1ディスク位置センサ１２は、Ｈ状態を検知すると、途中位置検知信号をメイ
ンマイコン１に出力する。
【００４６】
メインマイコン１には、何れも図示しない、ＣＰＵ（Central  Processing  Unit）と
、ＲＡＭ（Random  Access  Memory）と、ＲＯＭ（Read  Only  Memory）と、等が設けられる。  
【００４７】
ＣＰＵ（図示省略）は、所定のタイミング或いは操作部９等を介して入力された指示に応じて、ＲＯＭに格納された各種システムプログラムに従って、ディスク再生機能付テレビ１００を構成する各部への指示やデータの転送等を行うことによりディスク再生機能付テレビ１００の動作全般を統括制御する。
【００４８】
ＲＡＭ（図示省略）は、ＣＰＵのワークエリアとして用いられ、ＲＯＭから読み出された各種プログラムやこれらプログラムに係るデータ等をメモリエリアに一時的に記憶する。
【００４９】
ＲＯＭ（図示省略）は、ＣＰＵによって実行される各種データ処理プログラムの他、データ処理プログラムに係る各種初期設定値等を格納する。
【００５０】
具体的には、例えば、ＣＰＵが、ＲＯＭに格納されたプログラムを実行することによって、メインマイコン１は、ディスク挿入部１０５に設けられたディスク挿入センサ１１より、メインマイコン１に挿入検知信号が入力された場合に、サブマイコン３がオフ状態か否かを判断し、サブマイコン３がオフ状態であると判断すると、ディスク挿入部１０５の駆動制御を実行する。
【００５１】
さらに、メインマイコン１は、ディスク挿入部１０５に設けられたディスク挿入センサ１１により、メインマイコン１に挿入検知信号が入力された場合に、サブマイコン３がオフ状態か否かを判断し、サブマイコン３がオフ状態であると判断すると、サブ電源４をオンするとともに、第１ディスク位置センサ１２より、メインマイコン１に途中位置検知信号が入力された場合に、ディスク挿入部１０５の駆動制御を、サブマイコン３による駆動制御に切替える指示を駆動回路部１０とサブマイコン３に出力する。
【００５２】
メインマイコン１によるサブマイコン３のオン／オフ状態の確認は、メインマイコン１とサブマイコン３とを接続するバスＢを介して送受信される起動状態を表す信号に基づいて行われる。
【００５３】
また、メインマイコン１によるディスク挿入部１０５の駆動制御は、メインマイコン１が駆動回路部１０に所定の制御信号を出力することにより行われる。駆動回路部１０が、入力された所定の制御信号に基づいてモータＭを駆動することにより、ディスク挿入部１０５へのディスクＤの挿入が実行される。
【００５４】
そして、メインマイコン１は、サブ電源４に所定の制御信号を出力することにより、サブ電源４をオン状態にする。
【００５５】
メインマイコン１は、駆動回路部１０及びサブマイコン３に所定の制御信号を出力することにより駆動回路部１０に設けられたトランジスタ（図示省略）の開閉を制御し、サブマイコン３に、ディスク挿入部１０５の駆動制御を実行させる。
【００５６】
サブマイコン３は、何れも図示しないＣＰＵと、ＲＡＭと、等が設けられている。ＣＰＵとＲＡＭの各機能は、メインマイコン１のＣＰＵ、ＲＡＭと同様であるため、説明を省略する。
【００５７】
また、サブマイコン３には、フラッシュメモリ３ａが接続されている。フラッシュメモリ３ａには、ＣＰＵによって実行される各種データ処理プログラムの他、データ処理プログラムに係る各初期設定値等を格納する。従って、ＣＰＵが所定のプログラムに従った処理を実行する場合には、フラッシュメモリ３ａからプログラムを読み出した上で、これに
基づいて処理を実行することとなる。
【００５８】
ディスク再生部５には、例えば、レーザー光を照射することによりディスクに記録された情報を読み出すための光ピックアップ機構５１（図３参照）と、モータＭや光ピックアップ機構５１、またその他の、ディスク再生部５に設けられた各機器を電気的に接続された状態とするフレキシブルケーブル（図示省略）と、等が設けられる。
【００５９】
受信部６は、アンテナやチューナを備え、放送局（図示省略）から、映像や音声などが変調された上で送られる電波からチャンネルを検波し、復調した上で、画像信号を映像出力部７に出力し、音声信号を音声出力部８に出力する。
【００６０】
映像出力部７は、例えば、ＬＣＤ（Liquid Crystal Display）等を備えて構成され、入力された画像信号に基づいて、所定の画像を表示する。
【００６１】
音声出力部８は、スピーカ（図示省略）等を備え、入力された音声信号に基づいて、所定の音声をスピーカ等から出力する。
【００６２】
操作部９は、操作パネルやリモコン（図示省略）等の入力素子を備えている。ユーザがこれらの入力素子を用いてカーソル操作、アイコン指定、数字入力といった操作を行うことによって、例えば、メニュー画像における項目の選択、パラメータの設定等の各種処理の実行を指示する指示データが入力される。操作部９は、入力された指示データをマイコン１に出力する。
【００６３】
駆動回路部１０は、モータＭを駆動する回路である。駆動回路部１０は、例えば、制御回路（図示省略）と、複数のトランジスタ（図示省略）と、等を備えて構成される。当該トランジスタによって構成されるスイッチが、モータの回転のオン／オフを制御可能とする。
【００６４】
以下に、ディスク再生機能付テレビ１００が実行するディスク挿入処理について、図４に示すフローチャートを用いて説明する。ディスク挿入処理は、ディスク挿入センサ１１がディスクＤを検知することにより開始される。
【００６５】
ディスク挿入センサ１１がディスクＤを検知すると（ステップＳ１）、メインマイコン１は、所定のプログラムを実行することにより、サブマイコン３が起動しているか否かを判断する（ステップＳ２）。
【００６６】
メインマイコン１が、サブマイコン３が起動していると判断すると（ステップＳ２；Ｙｅｓ）、メインマイコン１は、サブマイコン３に、ディスク挿入部１０５の駆動制御を実行する旨の指示を出力し、サブマイコン３に駆動制御を実行させて（ステップＳ３）、本処理を終了する。
【００６７】
一方、メインマイコン１が、サブマイコン３が起動していないと判断すると（ステップＳ２；Ｎｏ）、メインマイコン１は、駆動回路部１０に所定の制御信号を出力することにより、ディスク挿入部１０５の駆動制御を実行する（ステップＳ４）。
【００６８】
ステップＳ５では、メインマイコン１は、第１ディスク位置センサ１２から途中位置検知信号が入力されたか否かを判断する（ステップＳ５）。
【００６９】
メインマイコン１が、途中位置検知信号が入力されたと判断すると（ステップＳ５；Ｙｅｓ）、メインマイコン１は、サブマイコン３及び駆動回路部１０に、ディスク挿入部１０５の駆動制御を、サブマイコン３による駆動制御に切替える旨の指示を出力することに
より、サブマイコン３にディスク挿入部１０５の駆動制御を実行させて（ステップＳ６）、本処理を終了する。
【００７０】
他方、ステップＳ５で、メインマイコン１が、途中位置検知信号が入力されていないと判断すると（ステップＳ５；Ｎｏ）、メインマイコン１は、途中位置検知信号が入力されるまで、途中位置検知信号が入力されたか否かを繰り返し判断する。
【００７１】
以上に説明したディスク再生機能付テレビ１００によると、ディスクＤの挿入時に、ディスク挿入部１０５の駆動制御を行うサブマイコン３がオフ状態であると、メインマイコン１によってディスク挿入部１０５の駆動制御が行われることとなる。これにより、ディスク挿入時にサブマイコン３がオフ状態であっても、サブマイコン３の起動を待つことなく、メインマイコン１によって、ディスクＤの挿入が速やかに開始されることとなり、ディスクＤを破損することなくディスク挿入部１０５に挿入することができる。
【００７２】
また、ディスク挿入部１０５の駆動制御を行うサブマイコン３がオフ状態であっても、ディスク挿入部１０５へのディスクＤの挿入が開始されるため、必要がない場合には、サブマイコン３をオフ状態にすることができ、消費電力を低減することができる。
【００７３】
さらに、ディスク挿入時にサブマイコン３がオフ状態である場合であって、メインマイコン１によってディスク挿入部１０５の駆動制御が開始された場合に、ディスクＤが装置本体１０２内部に収容された後に、ディスク挿入部１０５の駆動制御がメインマイコン１による駆動制御からサブマイコン３による駆動制御に切替えられるため、サブマイコン３で従来から使用されている、ディスク挿入部１０５の駆動制御に係る動作（例えば、ディスクＤの引き込み動作と、チャッキング動作と、ローディング動作と、等からなる一連の動作）がプログラミングされている既存のソフトウェアを変更することなく用いることができ、コストアップを抑えることができるのみならず、引き込み動作の中途でディスク挿入部１０５の駆動制御が切替えられることによって、引き込み動作以降の動作（例えば、チャッキング動作及びローディング動作等）がスムーズに行われることとなる。
【００７４】
そして、メインマイコン１の駆動制御からサブマイコン３の駆動制御への切替えが、ディスクＤが装置本体１０２内部に収容されている状態で行われるため、当該切替えがスムーズに行われなかった場合であっても、ディスクＤが引き抜かれたり、ディスクＤが装置本体１０２から落下する可能性がなく、より確実にディスクＤの破損を防止することができる。
【００７５】
［実施形態２］
次に、本発明の実施形態２を、図面を参照しながら詳細に説明する。ただし、発明の範囲は図示例に限られない。また、実施形態１のディスク再生機能付テレビ１００と同様の構成については、同一の符号を付して説明を省略する。
【００７６】
図５は本発明を適用した好適な実施の形態として例示するディスク再生機能付テレビジョン受像機（以下、「ディスク再生機能付テレビ」という。）２００の内部構成を示すブロック図である。図５に示すように、ディスク再生機能付テレビ２００は、ディスク再生機能付テレビ２００の動作全般を統括制御するメイン制御部としてのメインマイコン２０１と、メインマイコン２０１に接続され、メインマイコン２０１に電源を供給してなるメイン電源２と、ディスク挿入部１０５の駆動制御を行うサブ制御部としてのサブマイコン３と、サブマイコン３に接続され、サブマイコン３に電源を供給してなるサブ電源４と、サブマイコン３によって駆動制御され、ディスク挿入部１０５により挿入されたディスクの再生を行うディスク再生部５と、テレビジョン放送信号を受信する受信部６と、メインマイコン２０１によって駆動制御され、ディスク再生部５によって再生された画像及び受信部６により受信されたテレビジョン放送信号に基づくテレビジョン画像を表示する表示部としての映像出力部７と、ディスク再生部５によって再生された音声及び受信部６により受信されたテレビジョン放送信号に基づくテレビジョン音声を出力する音声出力部８と、各種指示を入力するための操作部９と、ディスク挿入部１０５や、ディスク再生部５等
の駆動源であるモータＭを駆動してなる駆動回路部１０と、経過時間を計時してなる計時部１４と、サブマイコン３の記録部として機能するフラッシュメモリ３ａと、等を備えて構成される。
【００７７】
また、ディスク挿入部１０５には、ディスク挿入センサ１１等が設けられる。
【００７８】
メインマイコン２０１には、何れも図示しない、ＣＰＵ（Central  Processing  Unit
）と、ＲＡＭ（Random  Access  Memory）と、ＲＯＭ（Read  Only  Memory）と、等が設けられる。  
【００７９】
ＣＰＵ（図示省略）は、所定のタイミング或いは操作部９等を介して入力された指示に応じて、ＲＯＭに格納された各種システムプログラムに従って、ディスク再生機能付テレビ２００を構成する各部への指示やデータの転送等を行うことによりディスク再生機能付テレビ２００の動作全般を統括制御する。
【００８０】
ＲＡＭ（図示省略）は、ＣＰＵのワークエリアとして用いられ、ＲＯＭから読み出された各種プログラムやこれらプログラムに係るデータ等をメモリエリアに一時的に記憶する。
【００８１】
ＲＯＭ（図示省略）は、ＣＰＵによって実行される各種データ処理プログラムの他、データ処理プログラムに係る各種初期設定値等を格納する。
【００８２】
具体的には、例えば、ＣＰＵが、ＲＯＭに格納されたプログラムを実行することによって、メインマイコン２０１は、ディスク挿入部１０５に設けられたディスク挿入センサ１１より、メインマイコン２０１に挿入検知信号が入力された場合に、サブマイコン３がオフ状態か否かを判断し、サブマイコン３がオフ状態であると判断すると、サブ電源４をオンするとともに、計時部１４より、経過信号が入力された場合に、ディスク挿入部１０５の駆動制御を、サブマイコン３による駆動制御に切替える指示を駆動回路部１０及びサブマイコン３に出力する。
【００８３】
ここで、経過信号とは、具体的には、ディスク挿入センサ１１よりメインマイコン２０１に挿入検知信号が入力されることによりメインマイコン２０１から出力された計時開始指示に基づいて計時部１４が計時した経過時間にかかる信号であって、より具体的には、メインマイコン２０１の指示に基づいて計時部１４が経過時間を計時し、予め定められた所定の時間が経過した場合に、メインマイコン２０１に出力される信号である。
【００８４】
以下に、ディスク再生機能付テレビ２００が実行するディスク挿入処理について、図６に示すフローチャートを用いて説明する。尚、本処理のステップＳ１〜ステップＳ４は、ディスク再生機能付テレビ１００によるディスク挿入処理のステップＳ１〜ステップＳ４に係る処理と同じ処理であるため、同一の符号を付して説明を省略する。
【００８５】
ステップＳ２０５では、メインマイコン２０１は、計時部１４から経過信号が入力されたか否かを判断する（ステップＳ２０５）。
【００８６】
メインマイコン２０１が、経過信号が入力されたと判断すると（ステップＳ２０５；Ｙｅｓ）、メインマイコン２０１は、駆動回路部１０及びサブマイコン３に、ディスク挿入部１０５の駆動制御を、サブマイコン３による駆動制御に切替える旨の指示を出力することにより、サブマイコン３にディスク挿入部１０５の駆動制御を実行させて（ステップＳ２０６）、本処理を終了する。
【００８７】
他方、ステップＳ２０５で、メインマイコン２０１が、経過信号が入力されていないと判断すると（ステップＳ２０５；Ｎｏ）、メインマイコン２０１は、経過信号が入力され
るまで、経過信号が入力されたか否かを繰り返し判断する。
【００８８】
以上に説明したディスク再生機能付テレビ２００によると、ディスク挿入時にサブマイコン３がオフ状態である場合であって、メインマイコン２０１によってディスク挿入部１０５の駆動制御が開始された場合に、ディスクの挿入が開始されてから所定の時間が経過した後に、ディスク挿入部１０５の駆動制御がメインマイコン２０１による駆動制御からサブマイコン３による駆動制御に切替えられることとなる。
【００８９】
これにより、新たに検知部等を設けることなく、サブマイコン３で従来から使用されている、ディスク挿入部１０５の駆動制御に係る動作（例えば、ディスクの引き込み動作と、チャッキング動作と、ローディング動作と、等からなる一連の動作）がプログラミングされている既存のソフトウェアを変更することなく用いることができ、コストアップを抑えることができる。
【００９０】
また、引き込み動作の中途でディスク挿入部１０５の駆動制御が切替えられることによって、引き込み動作以降の動作（例えば、チャッキング動作及びローディング動作等）がスムーズに行われることとなる。
【００９１】
［実施形態３］
次に、本発明の実施形態３を、図面を参照しながら詳細に説明する。ただし、発明の範囲は図示例に限られない。また、実施形態１のディスク再生機能付テレビ１００と同様の構成については、同一の符号を付して説明を省略する。
【００９２】
図７は本発明を適用した好適な実施の形態として例示するディスク再生機能付テレビジョン受像機（以下、「ディスク再生機能付テレビ」という。）３００の内部構成を示すブロック図である。図７に示すように、ディスク再生機能付テレビ３００は、ディスク再生機能付テレビ３００の動作全般を統括制御するメイン制御部としてのメインマイコン３０１と、メインマイコン３０１に接続され、メインマイコン３０１に電源を供給してなるメイン電源２と、ディスク挿入部１０５の駆動制御を行うサブ制御部としてのサブマイコン３と、サブマイコン３に接続され、サブマイコン３に電源を供給してなるサブ電源４と、サブマイコン３によって駆動制御され、ディスク挿入部１０５により挿入されたディスクの再生を行うディスク再生部５と、テレビジョン放送信号を受信する受信部６と、メインマイコン３０１によって駆動制御され、ディスク再生部５によって再生された画像及び受信部６により受信されたテレビジョン放送信号に基づくテレビジョン画像を表示する表示部としての映像出力部７と、ディスク再生部５によって再生された音声及び受信部６により受信されたテレビジョン放送信号に基づくテレビジョン音声を出力する音声出力部８と、各種指示を入力するための操作部９と、ディスク挿入部１０５や、ディスク再生部５等の駆動源であるモータＭを駆動してなる駆動回路部１０と、等を備えて構成される。
【００９３】
また、ディスク挿入部１０５には、ディスク挿入センサ１１と、第２ディスク位置センサ１３と、等が設けられる。
【００９４】
第２ディスク位置センサ１３は、ディスク挿入口１０４に挿入されたディスクＤが停止位置Ｐ２（図３参照）に達した場合に、停止位置検知信号をメインマイコン３０１に出力する停止位置検知部として機能する。
【００９５】
即ち、ディスクＤがディスク挿入部１０５に完全に挿入され、停止位置Ｐ２に達すると、第２ディスク位置センサ１３がディスクＤを検知して、停止位置検知信号をメインマイコン３０１に出力する。停止位置に達したディスクＤは、ディスク再生部５において、ディスクＤの再生が開始される。
【００９６】
第２ディスク位置センサ１３の構成は、ディスク挿入センサ１１及び第１ディスク位置センサ１２と同様の構成からなり、第２ディスク位置センサ１３は、Ｈ状態を検知すると、停止位置検知信号をメインマイコン３０１に出力する。
【００９７】
メインマイコン３０１には、何れも図示しない、ＣＰＵ（Central  Processing  Unit
）と、ＲＡＭ（Random  Access  Memory）と、ＲＯＭ（Read  Only  Memory）と、等が設けられる。  
【００９８】
ＣＰＵ（図示省略）は、所定のタイミング或いは操作部９等を介して入力された指示に応じて、ＲＯＭに格納された各種システムプログラムに従って、ディスク再生機能付テレビ３００を構成する各部への指示やデータの転送等を行うことによりディスク再生機能付テレビ３００の動作全般を統括制御する。
【００９９】
ＲＡＭ（図示省略）は、ＣＰＵのワークエリアとして用いられ、ＲＯＭから読み出された各種プログラムやこれらプログラムに係るデータ等をメモリエリアに一時的に記憶する。
【０１００】
ＲＯＭ（図示省略）は、ＣＰＵによって実行される各種データ処理プログラムの他、データ処理プログラムに係る各種初期設定値等を格納する。
【０１０１】
具体的には、例えば、ＣＰＵが、ＲＯＭに格納されたプログラムを実行することによって、メインマイコン３０１は、ディスク挿入部１０５に設けられたディスク挿入センサ１１より、メインマイコン３０１に挿入検知信号が入力された場合に、サブマイコン３がオフ状態か否かを判断し、サブマイコン３がオフ状態であると判断すると、サブ電源４をオンするとともに、第２ディスク位置センサ１３によって停止位置検知信号が入力された場合に、ディスク挿入部１０５の駆動制御をサブマイコン３に切替える指示を駆動回路部１０及びサブマイコン３に出力する。
【０１０２】
以下に、ディスク再生機能付テレビ３００が実行するディスク挿入処理について、図８に示すフローチャートを用いて説明する。尚、本処理のステップＳ１〜ステップＳ４は、ディスク再生機能付テレビ１００によるディスク挿入処理のステップＳ１〜ステップＳ４に係る処理と同じ処理であるため、同一の符号を付して説明を省略する。
【０１０３】
ステップＳ３０５では、メインマイコン３０１は、第２ディスク位置センサ１３から停止位置検知信号が入力されたか否かを判断する（ステップＳ３０５）。
【０１０４】
メインマイコン３０１が、停止位置検知信号が入力されたと判断すると（ステップＳ３０５；Ｙｅｓ）、メインマイコン３０１は、駆動回路部１０及びサブマイコン３に、ディスク挿入部１０５の駆動制御を、サブマイコン３による駆動制御に切替える旨の指示を出力することにより、サブマイコン３にディスク挿入部１０５の駆動制御を実行させて（ステップＳ３０６）、本処理を終了する。
【０１０５】
以上に説明したディスク再生機能付テレビ３００によると、ディスク挿入時にサブマイコン３がオフ状態である場合であって、メインマイコン３０１によってディスク挿入部１０５の駆動制御が開始された場合に、ディスクが停止位置に達した後に、ディスク挿入部１０５の駆動制御が、メインマイコン３０１による駆動制御から、サブマイコン３による駆動制御に切替えられることとなる。
【０１０６】
これにより、ディスク挿入部１０５へのディスクの挿入という一連の駆動制御を、メインマイコン３０１が一貫して実行することとなり、ディスク挿入部１０５へのディスクの挿入を、安定して行うことができる。
【０１０７】
尚、ディスク挿入センサ１１、第１ディスク位置センサ１２及び第２ディスク位置センサ１３の各センサは、上記の各実施形態で示したセンサに限られることはなく、赤外線センサ以外にも、例えば磁気センサ等の好適なセンサを適宜用いることができる。
【０１０８】
また、ディスク挿入センサ１１、第１ディスク位置センサ１２及び第２ディスク位置センサ１３の各センサから出力される挿入検知信号、途中位置検知信号及び停止位置検知信
号の各信号は、メインマイコン及びサブマイコンの両方に出力されても良い。
【図面の簡単な説明】
【０１０９】
【図１】本発明の実施形態１におけるディスク再生機能付テレビ１００の斜視図である。
【図２】ディスク再生機能付テレビ１００の内部構成を示すブロック図である。
【図３】ディスク挿入部１０５を説明するための説明図である。
【図４】ディスク再生機能付テレビ１００によるディスク挿入処理に係るフローチャートである。
【図５】本発明の実施形態２におけるディスク再生機能付テレビ２００の内部構成を示すブロック図である。
【図６】ディスク再生機能付テレビ２００によるディスク挿入処理に係るフローチャートである。
【図７】本発明の実施形態３におけるディスク再生機能付テレビ３００の内部構成を示すブロック図である。
【図８】ディスク再生機能付テレビ３００によるディスク挿入処理に係るフローチャートである。
【符号の説明】
【０１１０】
１００  ディスク再生機能付テレビ（ディスク再生機能付テレビジョン受像機）
１    メインマイコン（メイン制御部）
２    メイン電源
３    サブマイコン（サブ制御部）
３ａ  フラッシュメモリ
４    サブ電源
５    ディスク再生部
６    受信部
７    映像出力部（表示部）
８    音声出力部
９    操作部
１０  駆動回路部
１１  ディスク挿入センサ（挿入検知部）
１２  第１ディスク位置センサ（途中位置検知部）
１０２  操作本体
１０４  ディスク挿入口
１０５  ディスク挿入部
Ｍ    モータ
２００  ディスク再生機能付テレビ（ディスク再生機能付テレビジョン受像機）
２０１  メインマイコン（メイン制御部）
１４  計時部
３００  ディスク再生機能付テレビ（ディスク再生機能付テレビジョン受像機）
３０１  メインマイコン（メイン制御部）
１３  第２ディスク位置センサ（停止位置検知部）
【図１】
2006216121.tif 000003
【図２】
2006216121.tif 000004
【図３】
2006216121.tif 000005
【図４】
2006216121.tif 000006
【図５】
2006216121.tif 000007
【図６】
2006216121.tif 000008
【図７】
2006216121.tif 000009
【図８】
2006216121.tif 000010